(57)【要約】【課題】  カーナビゲーションなどのメンテナンス時にアンテナを点検若しくは交換、修理するような場合に、容易にアンテナを外せる車載用室内アンテナの取付構造を提供すること。【解決手段】  インストルメントパネルに装着されるクラスタパネル３を着脱可能に配設するとともにクラスタパネル３にインストルメントパネル１面を覆う庇部１９を形成した。庇部１９の下部には、ＧＰＳアンテナ１１の取付部８を形成し、支持ブラケット１２を介してアンテナ１１をインストルメントパネル１に取付けている。そして庇部１９によって、インストルメントパネル１面上に配設したアンテナ１１を覆うようにした。【選択図】        図２
2006123744.tif 000002
【特許請求の範囲】
【請求項１】
車載用機器のアンテナを車室内に配設した車載用室内アンテナの取付構造において、
上記車室のインストルメントパネルに装着されるガーニッシュを上記インストルメントパネルの表面側から着脱可能に取付けるとともに該ガーニッシュにインストルメントパネル面を覆う覆板部を形成し、上記インストルメントパネル又は上記ガーニッシュにアンテナの取付部を設け、上記アンテナを上記覆板部によって覆ったことを特徴とする車載用室内アンテナの取付構造。
【請求項２】
支持ブラケットを介して上記アンテナを上記取付部に取付けるとともに、上記支持ブラケットをインストルメントパネルに取付ける取付座面を車両の後方側にかつ斜め上方に向けて配置させたことを特徴とする請求項１に記載の車載用室内アンテナの取付構造。
【請求項３】
上記ガーニッシュをクリップにより上記インストルメントに取付けたことを特徴とする請求項１又は２に記載の車載用室内アンテナの取付構造。
【請求項４】
車載用機器のアンテナを車室内に配設した車載用室内アンテナの取付構造において、
上記インストルメントパネルの天井面の下側にインストルメントパネルの前側から着脱可能にガーニッシュを設け、上記ガーニッシュに上記アンテナを設け、該アンテナを上記天井面によって覆うようにしたことを特徴とする車載用室内アンテナの取付構造。
【発明の詳細な説明】
【技術分野】
【０００１】
本発明は、ＧＰＳ（Global Positioning System）によるカーナビゲーションなどの車載用室内アンテナの取付構造に関する。
【背景技術】
【０００２】
複数の人工衛星が発信する信号を受信して現在位置を知るＧＰＳ技術が測量、船の航行などで現在位置を確認するために使用され、その技術が車両の現在位置を知るために用いられている。
車両のＧＰＳナビゲーションは、人工衛星の信号を受信するためにアンテナを必要とし、アンテナはできるだけ車両の感度のよい場所に取付けるべきである。
【０００３】
しかしながら、アンテナを車両に外付けすると車両の外観上の見栄えが悪くなり、インストルメントパネルの上面など車室の表面から見える位置では、車室の内装上の見栄えが悪くなって好ましくない。また、車両の奥深くにアンテナを配設すると、受信電波が弱く感度が悪くなるので、電波を受信できなくなる。よって、従来では、比較的受信状況が良好なインストルメントパネルの裏面にアンテナを配設することがある。
特開２００３−１５２４１１号公報によると、インストルメントパネルの窓際内部に配設されるデフロスタダクトにカーナビゲーションのＧＰＳアンテナの取付部を設け、取付部にアンテナをスライドさせるようにして取付けている。この取付部は、インストルメントパネルの裏面に沿う位置に設けてある。
【特許文献１】特開２００３−１５２４１１号
【発明の開示】
【発明が解決しようとする課題】
【０００４】
しかしながら、インストルメントパネルの裏面などにアンテナを設置した場合、通常は問題がないが、カーナビゲーションのメンテナンス時や故障時にアンテナを取り外すことがある。
上述の特許文献１の技術では、室内のほぼ最前部に位置するデフロスタダクトに、アンテナを設置している。通常、デフロスタダクトの室内側には、ヒータなどの空調ユニットを配設し、インストルメントパネルの下側から覗き込んでアンテナの位置を確認しても、空調ユニットが邪魔になって確認できず、車種によっては、その周辺の構造部材を取り外すこともある。
たとえ、空調ユニットとデフロスタダクトとの間に隙間があったとしても、アンテナの取付面が上を向いているので、インストルメントパネルの下側からは、アンテナを確認できず、アンテナを取外すような場合は、手探り作業で行う必要がある。また、インストルメントパネルの下部には、アンダーカバーや小物入れを取付けている車種が多く、これらの構造部材を取り外すこともある。
本発明は、このような事情に鑑みてなされたものであって、カーナビゲーションなどのメンテナンス時にアンテナを点検若しくは交換、修理するような場合に、アンテナを簡単な作業で外す車載用室内アンテナの取付構造を提供することにある。
【課題を解決するための手段】
【０００５】
本発明は、上記目的を達成するために、車載用機器のアンテナを車室内に配設した車載用室内アンテナの取付構造において、上記車室のインストルメントパネルに装着されるガーニッシュ（クラスタパネル又はアクセサリボックスなど）を上記インストルメントパネルの表面側から着脱可能に取付けるとともに該ガーニッシュにインストルメントパネル面を覆う覆板部（庇部）を形成し、上記インストルメントパネル又は上記ガーニッシュにアンテナの取付部を設け、上記アンテナを上記覆板部によって覆った。
上記発明は、支持ブラケットを介して上記アンテナを上記取付部に取付けるとともに、上記支持ブラケットをインストルメントパネルに取付ける取付座面を車両の後方側にかつ斜め上方に向けて配置させることができる。
上記発明は、上記ガーニッシュをクリップにより上記インストルメントに取付けることができる。
また、本発明は、車載用機器のアンテナを車室内に配設した車載用室内アンテナの取付構造において、上記インストルメントパネルの天井面の下側にインストルメントパネルの前側から着脱可能にガーニッシュ（クラスタパネル又はアクセサリボックスなど）を設け、上記ガーニッシュに上記アンテナを設け、該アンテナを上記天井面によって覆うようにしたことを特徴とする車載用室内アンテナの取付構造。
【発明の効果】
【０００６】
本発明は、車載用機器のアンテナを車室内に配設した車載用室内アンテナの取付構造において、上記車室のインストルメントパネルに装着されるガーニッシュを上記インストルメントパネルの表面側から着脱可能に取付けるとともに該ガーニッシュにインストルメントパネル面を覆う覆板部を形成し、上記インストルメントパネル又は上記ガーニッシュにアンテナの取付部を設け、上記アンテナを上記覆板部によって覆ったので、インストルメントパネルを取り外すような、大掛かりな作業をすることなく、インストルメントパネルの前面側からアンテナなどの交換作業などができる。
また、上記発明は、支持ブラケットを介して上記アンテナを上記取付部に取付けるとともに、上記支持ブラケットをインストルメントパネルに取付ける取付座面を車両の後方側にかつ斜め上方に向けて配置させたので、アンテナの取外し、取付けが容易になる。
さらに、上記ガーニッシュをクリップにより上記インストルメントに取付けたので、ガーニッシュの取外し、取付けを容易にする。
本発明は、車載用機器のアンテナを車室内に配設した車載用室内アンテナの取付構造において、上記インストルメントパネルの天井面の下側にインストルメントパネルの前側から着脱可能にガーニッシュを設け、上記ガーニッシュに上記アンテナを設け、該アンテナを上記天井面によって覆うようにしたので、インストルメントパネルを取り外す、大掛かりな作業をすることなくＧＰＳアンテナなどの交換作業などができる。
【発明を実施するための最良の形態】
【０００７】
以下、本発明の実施の形態におけるアンテナの取付け構造について図面を参照しながら説明する。なお、本明細書での前後は車の前後方向に一致させている。
図１は、自動車のインストルメントパネルの斜視図、図２はインストルメントパネルの運転席側の分解斜視図、図３は図１のＡ−Ａ線の断面図である。
インストルメントパネル１には、インストルメントパネル１の基準面よりも内方側に窪む凹部２を形成する。凹部２には、速度計や燃料計などを表示するメータ器具を取付ける支持板部７を設け、凹部２の上縁部には、インストルメントパネル１の天井面６を後方に切り欠いた形状の円弧部５を形成している。
【０００８】
支持板部７の上側には、その上縁からほぼ水平方向に車体の前方側に向かう面を有するＧＰＳアンテナの取付部８を形成する。図４に示すように、取付部８には上方に突出する三角形状の一対の突起を設け、車体の後方側に上向きに向いた正方形状の一対の取付座面９を形成し、取付座面９には、スクリュー２２のネジ孔１０を形成している。取付座面９の位置は、円弧部５の縁部とほぼ同じ位置にするか、又は円弧部５よりも後方側に配置する。よって、取付座面９は、クラスタパネル３をインストルメントパネル１に装着していない状態では、運転席側から見える位置に配置される。取付座面９は、ＧＰＳアンテナ１１を取付けるものである。
【０００９】
図４及び図５に示すように、ＧＰＳアンテナ１１は、板状でほぼ正方形状であり、下面に支持ブラケット１２を取付け、支持ブラケット１２の両側部には、取付座面９の傾斜に対応して曲げた取付片１３を形成し、取付片１３にはネジ貫通孔１４を形成する。凹部２の周縁部には、ガーニッシュとしてのクラスタパネル３を取付ける四角形状の係止孔１５を複数箇所に形成している。
クラスタパネル３は、メータ器具４の周辺部を覆うものであって、上部には、メータ器具４の周縁部に沿った形状のメータ開口１６を形成し、メータ開口１６の下部には、図３に示すように、ステアリングハンドルのステアリング軸１７が挿通される凹所１８を形成する。クラスタパネル３の上部には、車体の前方側に突出する庇部１９を形成している。庇部１９の前端側は円弧部５に対応させた形状に形成し、庇部１９で取付座面９及びＧＰＳアンテナ１１の上側全体を覆うように形成する。
【００１０】
図６に示すように、クラスタパネル３には、クラスタパネル３の裏面側に突出する複数のボス２０を一体成形している。ボス２０の先端部には、弾性を有する板バネ状のクリップ２１を係止させて、インストルメントパネル１側の係止孔１５にクリップ２１を差し込んで、クラスタパネル３をインストルメントパネル１に装着する。クリップ２１は、係止孔１５の幅方向に伸縮するので、係止孔１５に係止された状態であっても、クリップ２１を縮めることによって、クラスタパネル３をインストルメントパネル１に離脱できる。
ＧＰＳアンテナ１１を取付け板面に取付けるときは、クラスタパネル３を装着しない状態で、取付座面９に取付片１３を合わせてスクリュー２２によって、ＧＰＳアンテナ５をインストルメントパネル１に取付ける。そして、クラスタパネル３を凹部２に装着する。
なお、図３中の符号３０はウインドガラスであり、図４及び図５中の符号３１はアンテナコードである。
【００１１】
このような構成により、ＧＰＳアンテナ１１は、クラスタパネル３の庇部１９の直下に配置されているので、ＧＰＳ信号を受信するのに十分な感度を得ることができる。
ＧＰＳアンテナ１１が故障したような場合は、クラスタパネル３を後部側に引き抜くようにして取り外す。取付部にスクリューは用いていない。クラスタパネル３を外すと、運転席側から、直接ＧＰＳアンテナ１１が見える位置にあり、また、ＧＰＳアンテナ１１を取外すための取付座面９が、斜め後方の上側に向けてあるので、作業者は無理な姿勢をとらないで容易に取り外しができる。
【００１２】
図７は、図１に示すアクセサリボックス２５の断面図である。
図１〜図６に示したＧＰＳアンテナ１１は、インストルメントパネル１に取付けたが、図７に示すようにアクセサリボックス２５などにＧＳＰアンテナ１１を取付けてもよい。
すなわち、インストルメントパネル１の上部には、アクセサリボックス２５の取付部２６を設け、アクセサリボックス２５の前側には、例えば時計２７などを取付けている。図７に示すようにＧＰＳアンテナ１１は、時計２７の上に取付けてもよいし、アクセサリボックス２５のフランジ部２８を前方側に延長して、フランジ部２８の上に取付けてもよい。また、この場合は、アクセサリボックス２５の庇部２９でＧＰＳアンテナ１１を覆ってもよいし、インストルメントパネル１の天井面６でＧＰＳアンテナ１１を覆ってもよい。
【００１３】
以上、本発明の実施形態について説明したが、本発明は勿論、本発明の技術的思想に基づいて種々の変形、変更が可能である。
例えば、上記実施の形態では、ＧＰＳアンテナ１１は支持ブラケット１２を介してスクリュー２２などのネジで取付けたが、クラスタパネル３の上面に支持ブラケット１２をスライドさせるガイドレール状のものを形成し、ＧＰＳアンテナ１１をそのガイドレールにスライドさせて取付けた状態で、ガイドレールに形成した爪などで抜け止めしてもよい。
ＧＰＳアンテナで説明したが、その他アンテナが薄型であって、電波がパネルを通過するものであれば、他の周波数帯域のアンテナ、例えばＥＴＣシステムのアンテナなどにも適用できる。さらには、受信装置のアンテナのみならず発信装置としてのアンテナでも可能である。
【図面の簡単な説明】
【００１４】
【図１】本発明の実施の形態における車載用室内アンテナの取付構造を採用した自動車のインストルメントパネルの斜視図である。
【図２】図１のインストルメントパネルの運転席側の分解斜視図である。
【図３】図１に示すＡ−Ａ線方向の断面図である。
【図４】図２に示すＧＰＳアンテナの取付部周辺の拡大斜視図である。
【図５】図２に示すＧＰＳアンテナの拡大斜視図である。
【図６】図１に示すインストルメントパネルのクラスタパネルの裏面に形成されているボス部とクリップ部の拡大斜視図である。
【図７】図１に示すＢ−Ｂ線方向の断面図である。
【符号の説明】
【００１５】
１  インストルメントパネル
３  クラスタパネル
６  天井面
７  支持板部
８  取付部
９  取付座面
１１  ＧＰＳアンテナ
１２  支持ブラケット
１３  取付片
１５  係止孔
１９，２９  庇部
２０  ボス
２１  クリップ
２５  アクセサリボックス
２８  フランジ
【図１】
2006123744.tif 000003
【図２】
2006123744.tif 000004
【図３】
2006123744.tif 000005
【図４】
2006123744.tif 000006
【図５】
2006123744.tif 000007
【図６】
2006123744.tif 000008
【図７】
2006123744.tif 000009